(57)【要約】【課題】破砕処理能力の向上を図ることができる破砕機を提供すること。【解決手段】破砕機１によれば、被処理物が傾いた状態で破砕室Ｒに投入された場合など、被処理物の投入姿勢に起因して破砕室Ｒ内に被処理物が詰まったとしても、突上部材１１により被処理物を突き上げることで被処理物の姿勢を変化させて、破砕室Ｒ内における被処理物の詰まりを解消することができる。また、押込部材２１により被処理物をカッタ側３，３へ押し込むことで一対のカッタ３，３間に被処理物を強制的に噛み込ませることができる。よって、被処理物をより確実に破砕することができ、破砕処理能力の向上を図ることができる。【選択図】図２
2010125349.tif 000002
【特許請求の範囲】
【請求項１】
被処理物が投入される破砕室を形成するホッパと、前記破砕室の下方に配設されると共に互いに平行な回転軸回りに回転駆動される一対のカッタとを備え、前記破砕室に投入された前記被処理物を前記一対のカッタ間に噛み込ませつつ前記カッタにより前記被処理物を破砕する破砕機において、
前記破砕室の下方から上方へ向けて前記破砕室内を動作可能に構成される突上部材を有し、その突上部材を動作させて前記破砕室に投入された前記被処理物を突き上げる突上装置と、
前記破砕室の上方から下方へ向けて前記破砕室内を動作可能に構成される押込部材を有し、その押込部材を動作させて前記破砕室に投入された前記被処理物を前記カッタ側へ押し込む押込装置とを備え、
前記破砕室の一側面側に前記突上部材が配設される一方、前記一側面側と対向する前記破砕室の他側面側に前記押込部材が配設されていることを特徴とする破砕機。
【請求項２】
前記突上部材は、先端が棒状に形成され、その先端により前記被処理物を突き上げるように構成されていることを特徴とする請求項１記載の破砕機。
【請求項３】
前記突上部材は、前記破砕室の幅方向に複数が配設されていることを特徴とする請求項１又は２に記載の破砕機。
【請求項４】
前記突上部材は、前記ホッパの壁面から前記破砕室内に出入可能とされ、動作時に前記破砕室内に進入する一方、非動作時に前記破砕室内から退出するように構成されていることを特徴とする請求項１から３のいずれかに記載の破砕機。
【請求項５】
前記突上部材は、先端へ向かうに従い前記破砕室の上方へ向けて湾曲する円弧状に形成されていることを特徴とする請求項４記載の破砕機。
【請求項６】
前記突上装置は、揺動可能に軸支され前記突上部材を支持する支持部材を備え、その支持部材の揺動により前記突上部材を動作させるように構成されていることを特徴とする請求項５記載の破砕機。
【発明の詳細な説明】
【技術分野】
【０００１】
本発明は、破砕機に関し、特に、破砕処理能力の向上を図ることができる破砕機に関するものである。
【背景技術】
【０００２】
従来、古紙のリサイクルや産業廃棄物の減容などを目的として被処理物（古紙や産業廃棄物など）を破砕する破砕機が知られている。この種の破砕機として、例えば、特許文献１には、一対のカッタ間に被処理物を噛み込ませて破砕する二軸剪断式破砕機が開示されている。
【０００３】
また、かかる二軸剪断式破砕機では、被処理物が投入される破砕室内にカム状板を設け、そのカム状板により被処理物を圧潰しつつカッタに送り込むことで、被処理物を一対のカッタ間に確実に噛み込ませることができるように構成されている。  
【特許文献１】特許第３６６１１８８号公報
【発明の開示】
【発明が解決しようとする課題】
【０００４】
しかしながら、上述した二軸剪断式破砕機では、例え破砕室内にカム状板を設けたとしても、被処理物が傾いた状態で破砕室内に投入された場合など被処理物の投入姿勢によっては、被処理物がカム状板に到達する前に破砕室内に詰まり、被処理物を破砕できなくなるという問題点があった。
【０００５】
本発明は、上述した問題点を解決するためになされたものであり、破砕処理能力の向上を図ることができる破砕機を提供することを目的としている。
【課題を解決するための手段】
【０００６】
この目的を達成するために、請求項１記載の破砕機は、被処理物が投入される破砕室を形成するホッパと、前記破砕室の下方に配設されると共に互いに平行な回転軸回りに回転駆動される一対のカッタとを備え、前記破砕室に投入された前記被処理物を前記一対のカッタ間に噛み込ませつつ前記カッタにより前記被処理物を破砕するものであって、前記破砕室の下方から上方へ向けて前記破砕室内を動作可能に構成される突上部材を有し、その突上部材を動作させて前記破砕室に投入された前記被処理物を突き上げる突上装置と、前記破砕室の上方から下方へ向けて前記破砕室内を動作可能に構成される押込部材を有し、その押込部材を動作させて前記破砕室に投入された前記被処理物を前記カッタ側へ押し込む押込装置とを備え、前記破砕室の一側面側に前記突上部材が配設される一方、前記一側面側と対向する前記破砕室の他側面側に前記押込部材が配設されている。
【０００７】
請求項２記載の破砕機は、請求項１記載の破砕機において、前記突上部材は、先端が棒状に形成され、その先端により前記被処理物を突き上げるように構成されている。
【０００８】
請求項３記載の破砕機は、請求項１又は２に記載の破砕機において、前記突上部材は、前記破砕室の幅方向に複数が配設されている。
【０００９】
請求項４記載の破砕機は、請求項１から３のいずれかに記載の破砕機において、前記突上部材は、前記ホッパの壁面から前記破砕室内に出入可能とされ、動作時に前記破砕室内に進入する一方、非動作時に前記破砕室内から退出するように構成されている。
【００１０】
請求項５記載の破砕機は、請求項４記載の破砕機において、前記突上部材は、先端へ向かうに従い前記破砕室の上方へ向けて湾曲する円弧状に形成されている。
【００１１】
請求項６記載の破砕機は、請求項５記載の破砕機において、前記突上装置は、揺動可能に軸支され前記突上部材を支持する支持部材を備え、その支持部材の揺動により前記突上部材を動作させるように構成されている。
【発明の効果】
【００１２】
請求項１記載の破砕機によれば、突上装置により突上部材を動作させると、破砕室に投入された被処理物が突上部材により突き上げられる。よって、被処理物が傾いた状態で破砕室に投入された場合など、被処理物の投入姿勢に起因して破砕室内に被処理物が詰まったとしても、突上部材により被処理物を突き上げることで被処理物の姿勢を変化させて、破砕室内における被処理物の詰まりを解消することができる。よって、被処理物を確実に破砕することができ、破砕処理能力の向上を図ることができるという効果がある。
【００１３】
ところで、従来、破砕室内に被処理物が詰まった場合には、作業者が破砕室内に立ち入り、破砕室内に詰まった被処理物を作業者が自ら取り除かなければならなかった。このため、被処理物が重量物や大型である場合には、作業者の負担が過大となっていた。
【００１４】
これに対し、本発明によれば、破砕室内における被処理物の詰まりを突上部材により解消することができるので、破砕室内に詰まった被処理物を作業者が自ら取り除く必要がなく、作業者の負担を軽減することができるという効果がある。
【００１５】
また、本発明によれば、押込装置により押込部材を動作させると、破砕室に投入された被処理物が押込部材によりカッタ側へ押し込まれる。よって、押込部材により被処理物をカッタ側へ押し込むことで一対のカッタ間に被処理物を強制的に噛み込ませることができる。よって、被処理物をより確実に破砕することができ、破砕処理能力の向上を図ることができるという効果がある。
【００１６】
更に、本発明によれば、破砕室の一側面側に突上部材が配設される一方、その一側面側と対向する破砕室の他側面側に押込部材が配設されているので、突上部材により被処理物を突き上げる作用と押込部材により被処理物をカッタ側へ押し込む作用とを連係させつつ被処理物を破砕することができる。
【００１７】
即ち、突上部材と押込部材とが互いに対向して配設されているので、まず、破砕室の一側面側に配設された突上部材により被処理物を突き上げることで、破砕室の他側面側に被処理物を傾けておき、その後、破砕室の他側面側に傾けた被処理物を、破砕室の他側面側に配設された押込部材によりカッタ側へ押し込むことができる。
【００１８】
これにより、突上部材により被処理物を突き上げる作用と押込部材により被処理物をカッタ側へ押し込む作用とを連係させつつ被処理物を破砕することができ、被処理物を効率良く破砕することができるという効果がある。その結果、破砕処理能力の向上を図ることができる。
【００１９】
請求項２記載の破砕機によれば、請求項１記載の破砕機の奏する効果に加え、突上部材は、先端が棒状に形成され、その先端により被処理物を突き上げるように構成されているので、突上部材による被処理物の突き上げ面積（突上部材が被処理物に接触する面積）を小さく抑えることができる。よって、突上部材により被処理物を突き上げる際に、被処理物の姿勢を不安定な状態に導くことができ、被処理物の姿勢を変化させ易くすることができるという効果がある。
【００２０】
また、突上部材による被処理物の突き上げ面積を小さく抑えることで、突上部材により被処理物を突き上げる際に、被処理物を突上部材上に担いでしまうことを防止して、被処理物の姿勢を確実に変化させることができるという効果がある。
【００２１】
請求項３記載の破砕機によれば、請求項１又は２に記載の破砕機の奏する効果に加え、突上部材は、破砕室の幅方向に複数が配設されているので、破砕室のより広い範囲において被処理物を突き上げることができ、破砕室の幅方向の一方に偏って被処理物が投入されたとしても、被処理物を確実に突き上げることができるという効果がある。
【００２２】
請求項４記載の破砕機によれば、請求項１から３のいずれかに記載の破砕機の奏する効果に加え、突上部材は、ホッパの壁面から破砕室内に出入可能とされ、動作時に破砕室内に進入する一方、非動作時に破砕室内から退出するように構成されているので、突上部材を必要としない時（例えば、破砕室内における被処理物の詰まりを解消した後）には、破砕室内から突上部材を退出させることで、破砕室に投入された被処理物が突上部材に引っ掛かってしまうのを防止することができるという効果がある。
【００２３】
請求項５記載の破砕機によれば、請求項４記載の破砕機の奏する効果に加え、突上部材は、先端へ向かうに従い破砕室の上方へ向けて湾曲する円弧状に形成されているので、突上部材をホッパの壁面から破砕室内に進入させる構成とした場合でも、突上部材による被処理物の突き上げ位置（突上部材が被処理物に接触する位置）を、突上部材が配設される破砕室の一側面側に近づけることができる。
【００２４】
即ち、突上部材をホッパの壁面から破砕室内に進入させる構成とした場合、例えば、突上部材が直線状に形成されていると、ホッパの壁面から破砕室内に進入した突上部材は、その進入量が増すほど、かかる突き上げ位置が破砕室の一側面側から離れ、その一側面側と対向する破砕室の他側面側に近づくこととなる。
【００２５】
このため、押込部材が配設された破砕室の他側面側に被処理物を傾け難くなるばかりか、逆に、突上部材が配設された破砕室の一側面側に被処理物が傾き易くなり、突上部材により被処理物を突き上げる作用と押込部材により被処理物をカッタ側へ押し込む作用とを連係させつつ被処理物を破砕できなくなる。
【００２６】
これに対し、本発明によれば、かかる突き上げ位置を破砕室の一側面側に近づけることで被処理物を破砕室の他側面側に傾け易くなるので、突上部材により被処理物を突き上げる作用と押込部材により被処理物をカッタ側へ押し込む作用とを連係させつつ被処理物を破砕することができ、被処理物を効率良く破砕することができるという効果がある。
【００２７】
また、突上部材を円弧状に形成することで、突上部材の動作範囲を小さく抑えることができるので、スペースの限られた破砕室内に突上部材と押込部材とを共に配設することができるという効果がある。
【００２８】
請求項６記載の破砕機によれば、請求項５記載の破砕機の奏する効果に加え、突上装置は、揺動可能に軸支され突上部材を支持する支持部材を備え、その支持部材の揺動により突上部材を動作させるように構成されているので、円弧状に形成される突上部材を簡単な構造で動作させることができる。よって、突上装置の構造を簡素化して、製造コストの低減を図ると共にメンテナンス性の向上を図ることができるという効果がある。
【発明を実施するための最良の形態】
【００２９】
以下、本発明の好ましい実施の形態について、添付図面を参照して説明する。図１は、本発明の一実施の形態における破砕機１の上面図であり、図２は、図１の矢印ＩＩ方向視における破砕機１の側面図である。なお、図２では、ホッパ２の一部が断面視されている。また、図３は、図２の矢印ＩＩＩ方向視における破砕機１の側面図である。
【００３０】
破砕機１は、リサイクルを目的として古紙を処理する古紙処理設備（図示せず）に用いられると共に、古紙を離解させて再生紙の紙料を生成するパルパー（例えば、特開２００３−１９３３８３号公報に開示されるパルパー）での処理に先駆けて古紙を破砕するための装置である。
【００３１】
即ち、古紙処理設備で処理される古紙は、納入状態ではブロック状に圧縮されており比較的に大型であるため、納入状態のままではパルパーにおいて処理できないことがある。そこで、比較的に大型である納入状態の古紙を破砕機１により破砕することで、パルパーでの処理が可能なサイズに細分化する。
【００３２】
まず、図１から図３を参照して、破砕機１の概略構成について説明する。破砕機１は、上述したように、古紙（以下、「被処理物」と称す。）を破砕するための装置であり、図１から図３に示すように、被処理物が投入されるホッパ２と、そのホッパ２に投入された被処理物を破砕する一対のカッタ３，３とを主に備えて構成されている。
【００３３】
また、破砕機１は、図１から図３に示すように、突上装置１０及び押込装置２０を備え、それら突上装置１０及び押込装置２０を駆動しつつ被処理物を破砕することで、破砕処理能力の向上を図ることができるように構成されている。
【００３４】
次いで、図１及び図２を参照して、ホッパ２及びカッタ３，３の詳細構成について説明する。ホッパ２は、被処理物が投入される破砕室Ｒを形成するものであり、図１及び図２に示すように、上方および下方がそれぞれ開放され、破砕室Ｒの上方から被処理物を投入できると共に、カッタ３，３により破砕した被処理物を破砕室Ｒの下方から排出できるように構成されている。
【００３５】
また、ホッパ２は、図２に示すように、破砕室Ｒの一側面Ｒａを形成する壁面２ａ及び一側面Ｒａと対向する破砕室Ｒの他側面Ｒｂを形成する壁面２ｂがそれぞれ傾斜され、破砕室Ｒの断面積が上方から下方へ向かうに従い漸次減少するように構成されている。
【００３６】
これにより、被処理物の投入口となる破砕室Ｒの上方の断面積を大きく確保しつつも、破砕室Ｒの下方の断面積を小さくすることで、破砕室Ｒに投入された被処理物を破砕室Ｒの下方において集約させて、一対のカッタ３，３間に被処理物を噛み込ませ易くすることができる。
【００３７】
なお、ホッパ２の壁面２ａには、図１に示すように、破砕室Ｒの幅方向（図１左右方向）において破砕室Ｒの中央および両隅（図１左右側）に合計３個の開口２ｃが貫通形成されている。この開口２ｃは、後述するように、突上部材１１の破砕室Ｒ内への出入口となる。
【００３８】
カッタ３，３は、互いの対向間に被処理物を噛み込んで破砕するものであり、図１及び図２に示すように、破砕室Ｒの下方に配設されると共に、破砕室Ｒの幅方向に沿って互いに平行に延設される一対の回転軸３ａ，３ａと、それら回転軸３ａ，３ａに配設される複数の刃３ｂ，３ｂとを備えて構成されている。
【００３９】
また、カッタ３，３は、図１に示すように、回転軸３ａ，３ａが減速機４を介してモータ５に接続され、モータ５の駆動力により回転駆動されると共に、互いに逆回転するように構成されている。
【００４０】
ところで、上述したように、破砕機１で破砕する被処理物は比較的に大型であるため、被処理物が傾いた状態で破砕室Ｒに投入された場合など被処理物の投入姿勢によっては、被処理物が破砕室Ｒ内に詰まり、被処理物を破砕できないことがある（図４（ａ）参照）。そこで、破砕機１には、破砕室Ｒ内における被処理物の詰まりを解消するべく、突上装置１０が設けられている。
【００４１】
また、破砕機１で処理する被処理物は比較的に大型であるため、被処理物が一対のカッタ３，３間に噛み込まず、被処理物を破砕できないことがある（図５（ａ）参照）。そこで、破砕機１には、一対のカッタ３，３間に被処理物を強制的に噛み込ませるべく、押込装置２０が設けられている。
【００４２】
次いで、図１及び図２を参照して、突上装置１０及び押込装置２０の詳細構成について説明する。突上装置１０は、破砕室Ｒに投入された被処理物を突き上げるための装置であり、図１及び図２に示すように、突上部材１１と、その突上部材１１を支持する支持部材１２と、突上部材１１を動作させるアクチュエータ１３とを備えて構成されている。
【００４３】
突上部材１１は、被処理物を突き上げるための部材であり、図１及び図２に示すように、破砕室Ｒの一側面Ｒａ側に配設され、図２の実線および二点鎖線で示すように、破砕室Ｒ内を下方から上方へ向けて動作可能に構成されると共にホッパ２の壁面２ａに設けられた開口２ｃから破砕室Ｒ内に出入可能に構成されている。なお、突上部材１１の動作の詳細については、図４（ａ）及び（ｂ）を参照して後述する。
【００４４】
また、突上部材１１は、断面矩形の棒状体により構成され、図１に示すように、先端１１ａが棒状に形成されると共に、図２に示すように、先端１１ａへ向かうに従い破砕室Ｒの上方へ向けて湾曲する円弧状に形成されている。
【００４５】
なお、本実施の形態では、図１に示すように、破砕室Ｒの幅方向（図１左右方向）において破砕室Ｒの中央および両隅（図１左右側）に合計３個の突上部材１１が配設されると共に、それら３個の突上部材１１に対応して支持部材１２及びアクチュエータ１３がそれぞれ配設されている。
【００４６】
これにより、破砕室Ｒのより広い範囲において被処理物を突き上げることができ、破砕室Ｒの幅方向の一方に偏って被処理物が投入されたとしても、被処理物を確実に突き上げることができる。
【００４７】
支持部材１２は、突上部材１１を動作可能に支持する部材であり、図２に示すように、下端に突上部材１１が連結されている。また、支持部材１２は、図２に示すように、上端が軸部材１４によりホッパ２の壁面２ａに軸支され、軸部材１４を中心として揺動可能に構成されている。
【００４８】
これにより、支持部材１２が軸部材１４を中心として揺動することで、支持部材１２に支持された突上部材１１が支持部材１２の揺動に伴って従動され破砕室Ｒ内を下方から上方へ向けて動作する。
【００４９】
このように、支持部材１２の揺動により突上部材１１が動作するように構成されているので、円弧状に形成される突上部材１１を簡単な構造で動作させることができる。よって、突上装置１０の構造を簡素化して、製造コストの低減を図ると共にメンテナンス性の向上を図ることができる。
【００５０】
アクチュエータ１３は、支持部材１２に駆動力を付与して突上部材１１動作させる機器であり、油圧シリンダにより構成され、図２に示すように、フレーム１５を介してホッパ２に軸支されている。但し、アクチュエータ１３は、油圧シリンダに限られず、例えば、エアシリンダやモータ等により構成しても良い。
【００５１】
また、アクチュエータ１３は、図２に示すように、ロッド１３ａが支持部材１２に軸支され、支持部材１２を介して突上部材１１に駆動力を付与可能に構成されている。
【００５２】
なお、アクチュエータ１３は、油圧ポンプ６（図３参照）から供給される作動油により伸縮駆動されると共に、電磁弁（図示せず）により駆動方向（伸長または収縮）が切り換えられるように構成されている。
【００５３】
また、アクチュエータ１３の駆動および駆動方向は、操作盤（図示せず）の操作に応じて制御されるように構成されている。即ち、作業者により操作盤が操作されると、その操作に応じて油圧ポンプ６及び電磁弁が駆動されると共に、油圧ポンプ６及び電磁弁が駆動されることで、アクチュエータ１３の駆動および駆動方向が制御される。
【００５４】
なお、図１から図３では、油圧ポンプ６からアクチュエータ１３に作動油を供給するための油圧配管および操作盤によりアクチュエータ１３を制御するための電気回路などの図示が省略されている。
【００５５】
押込装置２０は、破砕室Ｒに投入された被処理物をカッタ３，３側へ押し込むための装置であり、図１及び図２に示すように、押込部材２１と、その押込部材２１を動作させるアクチュエータ２２とを備えて構成されている。
【００５６】
押込部材２１は、被処理物をカッタ３，３側へ押し込むための部材であり、図１及び図２に示すように、破砕室Ｒの他側面Ｒｂ側に配設され、図２の実線および二点鎖線で示すように、破砕室Ｒ内を上方から下方へ向けて動作可能に構成されている。
【００５７】
この押込部材２１は、非動作状態（図２の実線で示す状態）において、非動作状態（図２の実線で示す状態）の突上部材１１よりも上方に配設されている。なお、押込部材２１の動作の詳細については、図５（ａ）及び（ｂ）を参照して後述する。
【００５８】
また、押込部材２１は、板状体により構成され、図２に示すように、略Ｌ字状に曲げ加工を施すことで先端２１ａが面状に形成されると共に、図１に示すように、破砕室Ｒの幅方向（図１左右方向）寸法が破砕室Ｒの幅と略同等に形成されている。
【００５９】
これにより、破砕室Ｒのより広い範囲において被処理物をカッタ３，３側へ押し込むことができ、破砕室Ｒの幅方向の一方に偏って被処理物が投入されたとしても、被処理物を確実にカッタ３，３側へ押し込むことができる。
【００６０】
アクチュエータ２２は、押込部材２１に駆動力を付与して動作させる機器であり、油圧シリンダにより構成され、図２に示すように、ステー２３を介してホッパ２に支持されている。但し、アクチュエータ２２は、油圧シリンダに限られず、例えば、エアシリンダやモータ等により構成しても良い。
【００６１】
また、アクチュエータ２２は、図２に示すように、ロッド２２ａが押込部材２１の先端２１ａ側に連結され、押込部材２１に駆動力を効率良く付与することができるように構成されている。
【００６２】
なお、アクチュエータ２２は、アクチュエータ１３と同様に、油圧ポンプ６（図３参照）から供給される作動油により伸縮駆動されると共に、電磁弁（図示せず）により駆動方向（伸長または収縮）が切り換えられるように構成されている。
【００６３】
また、アクチュエータ２２の駆動および駆動方向は、操作盤（図示せず）の操作に応じて制御されるように構成されている。即ち、作業者により操作盤が操作されると、その操作に応じて油圧ポンプ６及び電磁弁が駆動されると共に、油圧ポンプ６及び電磁弁が駆動されることで、アクチュエータ２２の駆動および駆動方向が制御される。
【００６４】
なお、図１から図３では、油圧ポンプ６からアクチュエータ２２に作動油を供給するための油圧配管および操作盤によりアクチュエータ２２を制御するための電気回路などの図示が省略されている。
【００６５】
次いで、図４を参照して、突上部材１１の作用について説明する。図４は、突上部材１１の作用を説明する図であり、図４（ａ）は突上部材１１の非動作状態を、図４（ｂ）は突上部材１１の動作状態を、それぞれ示している。なお、図４は、図２に対応する破砕機１の側面図であり、ホッパ２の一部が断面視されている。
【００６６】
上述したように、破砕機１で破砕する被処理物は比較的に大型であるため、被処理物が傾いた状態で破砕室Ｒに投入された場合など被処理物の投入姿勢によっては、図４（ａ）に示すように、被処理物が破砕室Ｒ内に詰まり、被処理物を破砕できないことがある。
【００６７】
そこで、被処理物が破砕室Ｒ内に詰まった場合には、作業者が操作盤（図示せず）を操作して突上装置１０を駆動することで、破砕室Ｒ内における被処理物の詰まりを解消することができる。
【００６８】
即ち、作業者により操作盤が操作されると、その操作に応じて突上装置１０のアクチュエータ１３が駆動され、アクチュエータ１３の駆動力が支持部材１２に付与される。そして、アクチュエータ１３の駆動力が支持部材１２に付与されると、図４（ｂ）に示すように、支持部材１２が軸部材１４を中心として揺動し、支持部材１２に支持された突上部材１１が破砕室Ｒ内を下方から上方へ向けて動作する。
【００６９】
これにより、図４（ｂ）に示すように、突上部材１１の先端１１ａにより被処理物を突き上げて、被処理物の姿勢を変化させることができる。その結果、破砕室Ｒ内における被処理物の詰まりを解消することができる。
【００７０】
このように、突上部材１１は、棒状に形成された先端１１ａにより被処理物を突き上げるように構成されているので、突上部材１１による被処理物の突き上げ面積（突上部材１１が被処理物に接触する面積）を小さく抑えることができる。よって、突上部材１１により被処理物を突き上げる際に、被処理物の姿勢を不安定な状態に導くことができ、被処理物の姿勢を変化させ易くすることができる。
【００７１】
また、突上部材１１による被処理物の突き上げ面積を小さく抑えることで、突上部材１１により被処理物を突き上げる際に、被処理物を突上部材１１上に担いでしまうことを防止して、被処理物の姿勢を確実に変化させることができる。
【００７２】
ここで、突上部材１１は、上述したように、ホッパ２の壁面２ａに設けられた開口２ｃから破砕室Ｒ内に出入可能に構成されており、動作時には、図４（ｂ）に示すように、破砕室Ｒ内に進入する一方、非動作時には、図４（ａ）に示すように、破砕室Ｒ内から退出する。
【００７３】
これにより、突上部材１１を必要としない時（例えば、破砕室Ｒ内における被処理物の詰まりを解消した後）には、破砕室Ｒ内から突上部材１１を退出させることで、破砕室Ｒに投入された被処理物が突上部材１１に引っ掛かってしまうのを防止することができる。
【００７４】
次いで、図５を参照して、押込部材２１の作用について説明する。図５は、押込部材２１の作用を説明する図であり、図５（ａ）は押込部材２１の非動作状態を、図５（ｂ）は押込部材２１の動作状態を示している。なお、図５は、図２に対応する破砕機１の側面図であり、ホッパ２の一部が断面視されている。
【００７５】
上述したように、破砕機１で破砕する被処理物は比較的に大型であるため、図５（ａ）に示すように、被処理物が一対のカッタ３，３間に噛み込まず、被処理物を破砕できないことがある。
【００７６】
そこで、被処理物が一対のカッタ３，３間に噛み込まない場合には、作業者が操作盤（図示せず）を操作して押込装置２０を駆動することで、一対のカッタ３，３間に被処理物を強制的に噛み込ませることができる。
【００７７】
即ち、作業者により操作盤が操作されると、その操作に応じて押込装置２０のアクチュエータ２２が駆動され、アクチュエータ２２の駆動力が押込部材２１に付与される。そして、アクチュエータ２２の駆動力が押込部材２１に付与されると、図５（ｂ）に示すように、押込部材２１が破砕室Ｒ内を上方から下方へ向けて動作する。
【００７８】
これにより、図５（ｂ）に示すように、押込部材２１の先端２１ａにより被処理物をカッタ３，３側へ押し込むことができる。その結果、一対のカッタ３，３間に被処理物を強制的に噛み込ませることができる。
【００７９】
ここで、押込部材２１は、上述したように、破砕室Ｒの他側面Ｒｂ側に配設される一方、突上部材１１は、破砕室Ｒの一側面Ｒａ側に配設され、突上部材１１と押込部材２１とが互いに対向して配設されている。
【００８０】
これにより、まず、破砕室Ｒの一側面Ｒａ側に配設された突上部材１１により被処理物を突き上げることで、図５（ａ）に示すように、破砕室Ｒの他側面Ｒｂ側に被処理物を傾けておき、その後、破砕室Ｒの他側面Ｒｂ側に傾けた被処理物を、破砕室Ｒの他側面Ｒｂ側に配設された押込部材２１によりカッタ３，３側へ押し込むことができる。
【００８１】
よって、突上部材１１により被処理物を突き上げる作用と押込部材２１により被処理物をカッタ３，３側へ押し込む作用とを連係させつつ被処理物を破砕することができ、被処理物を効率良く破砕することができる。
【００８２】
以上説明したように、破砕機１によれば、被処理物が傾いた状態で破砕室Ｒに投入された場合など、被処理物の投入姿勢に起因して破砕室Ｒ内に被処理物が詰まったとしても、突上部材１１により被処理物を突き上げることで被処理物の姿勢を変化させて、破砕室Ｒ内における被処理物の詰まりを解消することができる。よって、被処理物を確実に破砕することができ、破砕処理能力の向上を図ることができる。
【００８３】
更に、破砕室Ｒ内における被処理物の詰まりを突上部材１１により解消することができるので、破砕室Ｒ内に詰まった被処理物を作業者が自ら取り除く必要がなく、作業者の負担を軽減することができる。
【００８４】
また、破砕機１によれば、押込部材２１により被処理物をカッタ側３，３へ押し込むことで一対のカッタ３，３間に被処理物を強制的に噛み込ませることができる。よって、被処理物をより確実に破砕することができ、破砕処理能力の向上を図ることができる。
【００８５】
更に、破砕機１によれば、突上部材１１は、破砕室Ｒの上方へ向けて湾曲する円弧状に形成されているので、突上部材１１をホッパ２の壁面２ａから破砕室Ｒ内に進入させる構成とした場合でも、突上部材１１による被処理物の突き上げ位置（突上部材１１が被処理物に接触する位置）を、突上部材１１が配設される破砕室Ｒの一側面Ｒａ側に近づけることができる。
【００８６】
即ち、突上部材１１をホッパ２の壁面２ａから破砕室Ｒ内に進入させる構成とした場合、例えば、突上部材１１が直線状に形成されていると、ホッパ２の壁面２ａから破砕室Ｒ内に進入した突上部材１１は、その進入量が増すほど、かかる突き上げ位置が破砕室Ｒの一側面Ｒａ側から離れ、その一側面Ｒａ側と対向する破砕室Ｒの他側面Ｒｂ側に近づくこととなる。
【００８７】
このため、押込部材２１が配設された破砕室Ｒの他側面Ｒｂ側に被処理物を傾け難くなるばかりか、逆に、突上部材１１が配設された破砕室Ｒの一側面Ｒａ側に被処理物が傾き易くなり、突上部材１１により被処理物を突き上げる作用と押込部材２１により被処理物をカッタ３，３側へ押し込む作用とを連係させつつ被処理物を破砕できなくなる。
【００８８】
これに対し、かかる突き上げ位置を破砕室Ｒの一側面Ｒａ側に近づけることで、被処理物を破砕室Ｒの他側面Ｒｂ側に傾け易くなるので、突上部材１１により被処理物を突き上げる作用と押込部材２１により被処理物をカッタ３，３側へ押し込む作用とを連係させつつ被処理物を破砕することができ、被処理物を効率良く破砕することができる。
【００８９】
また、突上部材１１を円弧状に形成することで、突上部材１１の動作範囲を小さく抑えることができるので、スペースの限られた破砕室Ｒ内に突上部材１１と押込部材２１とを共に配設することができる。
【００９０】
以上、実施の形態に基づき本発明を説明したが、本発明は上記実施の形態に何ら限定されるものではなく、本発明の趣旨を逸脱しない範囲内で種々の改良変更が可能であることは容易に推察できるものである。
【００９１】
例えば、上記実施の形態では、破砕機１により古紙を破砕する場合を説明したが、必ずしもこれに限られるものではなく、例えば、産業廃棄物の減容を目的として、破砕機１により産業廃棄物を破砕することは当然可能である。即ち、破砕機１で破砕する被処理物は古紙に限られず、産業廃棄物など他のものであっても良い。
【００９２】
上記実施の形態では、一対のカッタ３，３を備え、それら一対のカッタ３，３間に被処理物を噛み込ませて破砕する場合を説明したが、必ずしもこれに限られるものではなく、例えば、３個以上の複数のカッタ３を設け、それら複数のカッタ３間に被処理物を噛み込ませて破砕するように構成しても良い。
【００９３】
上記実施の形態では、突上部材１１が円弧状に形成され、支持部材１２の揺動により突上部材１１が動作するように構成される場合を説明したが、必ずしもこれに限られるものではなく、例えば、突上部材１１を直線状に形成し、アクチュエータ１３の駆動力を突上部材１１に直接付与して動作させるように構成しても良い。この場合には、突上部材１１を簡単な構造で動作させることができるので、突上装置１１の構造を簡素化して、製造コストの低減を図ると共にメンテナンス性の向上を図ることができる。
【００９４】
また、上記実施の形態では、突上部材１１がホッパ２の壁面２ａに設けられた開口２ｃから破砕室Ｒ内に出入可能に構成される場合を説明したが、必ずしもこれに限られるものではなく、例えば、突上装置１０の一部または全ての構成を破砕室Ｒ内に配設し、突上部材１１を破砕室Ｒ内において動作させるように構成しても良い。この場合には、突上装置１１を小型化して、破砕機１よりも小型の機種にも対応することができる。
【図面の簡単な説明】
【００９５】
【図１】本発明の一実施の形態における破砕機の上面図である。
【図２】図１の矢印ＩＩ方向視における破砕機の側面図である。
【図３】図２の矢印ＩＩＩ方向視における破砕機の側面図である。
【図４】突上部材の作用を説明する図である。
【図５】押込部材の作用を説明する図である。
【符号の説明】
【００９６】
１              破砕機
２            ホッパ
２ａ，２ｂ    壁面
３            カッタ
３ａ          回転軸
１０          突上装置
１１          突上部材
１１ａ        先端
１２          支持部材
２０          押込装置
２１          押込部材
Ｒ            破砕室
Ｒａ          一側面
Ｒｂ          他側面
【図１】
2010125349.tif 000003
【図２】
2010125349.tif 000004
【図３】
2010125349.tif 000005
【図４】
2010125349.tif 000006
【図５】
2010125349.tif 000007